(57)【特許請求の範囲】
【請求項１】
出入口の一側に戸袋を設け、前記出入口の上側に、点検カバーによって開閉されるレール収納空間を設け、このレール収納空間内に、出入口の戸先側から戸袋の戸尻り端部に至る長さのレール部材を取付け、前記出入口を開閉する戸体の上側には前記レール部材に設けられたほぼ水平の軌道で支持される複数の吊車を回転自在に設け、前記レール部材に形成された取付ベースの前記点検カバーと対向する前面には、戸袋の入口部に、モータおよびそのモータで駆動される駆動プーリを支持し、一端部が出入口の上方に臨む支持ベースと、レール収納空間の出入口の戸先側端部と対応する位置に従動プーリを回転自在に支持するプーリ台と、そのプーリ台と前記支持ベースとの間にモータの回転を制御する制御機器が内装されたコントロールボックスとをそれぞれビスの締付けにより取付け、前記駆動プーリと従動プーリ間にかけ渡したベルトの一部を戸体に連結した自動引き戸。
【請求項２】
前記レール部材に形成された取付ベースの前面にレール部材の両端に至る平行２条のガイド溝を形成し、各ガイド溝の開口部上下に一対の内向きのフランジを設け、前記ガイド溝に沿って移動自在に設けられたナットと、そのナットにねじ込まれるビスとで前記支持ベースの一端部、プーリ台およびコントロールボックスのそれぞれを取付けた請求項１に記載の自動引き戸。
【発明の詳細な説明】
【０００１】
【発明の属する技術分野】
この発明は、出入口の開閉用戸体をモータの駆動によって開閉させるようにした自動引き戸に関するものである。
【０００２】
【従来の技術】
間仕切り壁に出入口と、その出入口の一側に戸体収納凹部を設け、前記出入口の上部に戸体収納凹部の端面に至る長さのレール部材を取付け、そのレール部材に設けられたほぼ水平の軌道に出入口開閉用の戸体の上側に設けられた吊車を載置して戸体を懸垂し、その戸体を駆動装置により開閉させるようにした自動引き戸は従来から知られている。
【０００３】
上記のような自動引き戸に採用される駆動装置は、普通、モータにより駆動される駆動プーリと従動プーリとの間にタイミングベルトをかけ渡し、そのタイミングベルトの一部を戸体に連結し、モータの正逆回転によって戸体を開閉させるようにしている。
【０００４】
上記駆動装置は、戸体の移動を案内するレール部材に支持され、開閉自在に設けられた点検カバーによって覆われている。
【０００５】
ところで、上記のような自動引き戸においては、出入口を開放する戸体を戸体収納凹部に収納する構成であるため、戸体は外部に常に露出して体裁が良いとはいえず、また、戸体の開放時に、その戸体との接触によって怪我する危険があった。
【０００６】
そのような不都合を解消するため、出入口の一側に戸袋を形成し、開放状態とされた戸体をその戸袋内に収納させるようにした自動引き戸が提案されている。
【０００７】
【発明が解決しようとする課題】
ところで、戸袋を有する従来の自動引き戸においては、駆動プーリを回転させるモータユニットおよびそのモータユニットのモータの回転を制御する制御機器が内装されたコントロールボックスのそれぞれを戸袋の閉塞端部に配置した構成であるため、前記モータユニットおよびコントロールボックスのメンテナンスの際には戸袋を形成する面パネルの取り外しが必要であり、メンテナンスがきわめて困難であった。
【０００８】
この発明は、メンテナンスの容易な自動引き戸を提供することである。
【０００９】
【課題を解決するための手段】
上記の課題を解決するために、この発明においては、出入口の一側に戸袋を設け、前記出入口の上側に、点検カバーによって開閉されるレール収納空間を設け、このレール収納空間内に、出入口の戸先側から戸袋の戸尻り端部に至る長さのレール部材を取付け、前記出入口を開閉する戸体の上側には前記レール部材に設けられたほぼ水平の軌道で支持される複数の吊車を回転自在に設け、前記レール部材に形成された取付ベースの前記点検カバーと対向する前面には、戸袋の入口部に、モータおよびそのモータで駆動される駆動プーリを支持し、一端部が出入口の上方に臨む支持ベースと、レール収納空間の出入口の戸先側端部と対応する位置に従動プーリを回転自在に支持するプーリ台と、そのプーリ台と前記支持ベースとの間にモータの回転を制御する制御機器が内装されたコントロールボックスとをそれぞれビスの締付けにより取付け、前記駆動プーリと従動プーリ間にかけ渡したベルトの一部を戸体に連結した構成を採用したのである。
【００１０】
上記のように構成すれば、点検カバーを開放することにより、レール収納空間の開口部からコントロールボックスおよびモータおよび駆動プーリを支持する支持ベースの取付け用ねじを回転させることができる。このため、コントロールボックスおよび支持ベースをレール収納空間から簡単に着脱することができ、メンテナンスを容易に行なうことができる。
【００１１】
ここで、前記レール部材に形成された取付ベースの前面にレール部材の両端に至る平行２条のガイド溝を形成し、各ガイド溝の開口部上下に一対の内向きのフランジを設け、前記ガイド溝に沿って移動自在に設けられたナットと、そのナットにねじ込まれるビスとで前記支持ベースの一端部、プーリ台およびコントロールボックスのそれぞれを取付けることにより、ねじを弛めることによって、支持ベースをレール収納空間と対応する位置までスライドさせることができるため、支持ベースをより簡単に取り外すことができる。
【００１２】
【発明の実施の形態】
以下、この発明の実施の形態を図面に基づいて説明する。図１乃至図３に示すように、固定枠１は、左右一対の竪枠２、３と、その竪枠２、３間のほぼ中央部に設けられた前後一対の間柱４ａ、４ｂと、前記一対の竪枠２、３の上端部間に渡された上枠５とから成り、前記一方の竪枠２と一対の間柱４ａ、４ｂ間が出入口６とされている。
【００１３】
前記他方の竪枠３と一対の間柱４ａ、４ｂ間は、前後で対向する２枚のパネル７ａ、７ｂによって閉塞され、その２枚のパネル７ａ、７ｂ間に戸袋８が形成されている。
【００１４】
図７に示すように、上枠５は上面パネル５ａと背面パネル５ｂとを有し、前記背面パネル５ｂの前側に間隔をおいて点検カバー９が設けられている。
【００１５】
点検カバー９は図１に示すように、一方の竪枠２と前側間柱４ａ間にわたる長さを有している。この点検カバー９の上縁には図７に示すように、折曲片９ａが形成され、この折曲片９ａは上枠５の上面パネル５ａの下面に設けられたフック片１０に着脱自在に係合されている。このため、点検カバー９はフック片１０に対する係合位置を中心として開閉自在とされ、あるいはフック片１０に対する折曲片９ａの係合解除によって取り外し可能とされている。
【００１６】
前記出入口６の上側には、上枠５の背面パネル５ｂと点検カバー９の対向部間にレール収納空間１１が設けられている。
【００１７】
レール収納空間１１にはレール部材１２が設けられている。レール部材１２は取付ベース１２ａの下端に支持板１２ｂを一体に設け、その支持板１２ｂの上面前側に直線状の軌道１２ｃを形成している。このレール部材１２は一対の竪枠２、３の対向面間に渡る長さを有している。レール部材１２は上枠５の背面パネル５ｂに取付けられた支持部材１３に取付ベース１２ａが取付られて軌道１２ｃがほぼ水平の配置とされている。
【００１８】
図４乃至図５に示すように、出入口６を開閉する戸体１４の上面には、戸先側の端部と戸尻り側の端部にブラケット１５が取付けられ、各ブラケット１５に回転自在に支持された吊車１６がレール部材１２の軌道１２ｃに載置されている。このため、戸体１４はレール部材１２の軌道１２ｃに吊下げられた移動自在とされている。
【００１９】
図７に示すように、戸体１４の下面には両端に至る案内溝１７が形成され、一方、出入口６の床面上には戸袋８の入口と近接する位置に上記案内溝１７に嵌合する回転自在のガイドローラ１８が設けられ、そのガイドローラ１８によって戸体１４の下端部が振れ止めされている。
【００２０】
図４および図５に示すように、レール部材１２における取付ベース１２ａの前面には２条のガイド溝１９が上下に設けられている。各ガイド溝１９は取付ベース１２ａの両端に至る長さを有し、その開口部には図７に示すように、一対の内向きフランジ２０が設けられている。
【００２１】
また、取付ベース１２ａの前面には図５および図６に示すように、戸袋８の入口部上方にモータ２１およびそのモータ２１によって駆動される駆動プーリ２２を支持する支持ベース２３と、図４に示すように、出入口６の戸先端部と対応する位置に従動プーリ２４を回転自在に支持するプーリ台２５と、そのプーリ台２５と前記支持ベース２３との間にモータ２１の回転を制御する制御機器が内装されたコントロールボックス２６とが設けられている。
【００２２】
図６に示すように、支持ベース２３の一端部は出入口６の戸尻り側端部上に臨み、その一端部の上下にビス挿入孔２７が形成され、各ビス挿入孔２７に挿入されたビス２８はガイド溝１９内に組み込まれた板状のナット２９にねじ係合され、そのビス２８の締付けによって支持ベース２３の一端部が固定されている。
【００２３】
また、支持ベース２３の戸袋８内に位置する他端部には左右一対のビス挿入孔３０が上下に設けられ、前記支持ベース２３の背面にはそのビス挿入孔３０と対応する位置にバーリング３１が形成されている。このバーリング３１はガイド溝１９の開口部に設けられた一対の内向きフランジ２０間にスライド自在に嵌合され、その長さは内向きフランジ２０の厚みより長くなっている。
【００２４】
支持ベース２３の他端部は、ビス挿入孔３０に挿入されたビス３２をガイド溝１９内にスライド自在に組み込まれた板状のナット３３にねじ係合して締め付けることにより取付ベース１２ａの前面から浮き上がることが防止され、前記支持ベース２３の一端部に設けられた一対のビス２８を弛めることによって支持ベース２３をガイド溝１９に沿って出入口６の上方位置まで引き出せるようになっている。
【００２５】
前記プーリ台２５およびコントロールボックス２６は四隅部にビス挿入孔３４を有し、各ビス挿入孔３４に挿入されたビス３５はガイド溝１９内に組み込まれた板状のナット３６にねじ係合され、そのビス３５の締付けによってプーリ台２５およびコントロールボックス２６が着脱自在に取付けられている。
【００２６】
駆動プーリ２２および従動プーリ２４は歯付きプーリから成り、その両プーリ２２、２４間にタイミングベルト３７がかけ渡されている。タイミングベルト３７の両端部は、図３に示すように、戸体１４の戸先側端部に設けられた前記ブラケット１５に連結されている。
【００２７】
図１に示すように、前記戸体１４における両側面の戸先側端部にはタッチプレート３８が取付けられ、一方、出入口６の左右両側には発光素子３９ａと受光素子３９ｂから成る検出センサ３９がタッチプレート３８とほぼ同じ高さに取付けられ、前記タッチプレート３８に手を触れると、前記検出センサ３９が遮光状態とされ、その検出センサ３９からの信号によってモータ２１が作動し、駆動プーリ２２を回転させるようになっている。
【００２８】
実施の形態では、上記のように、発光素子３９ａと受光素子３９ｂから成る検出センサ３９によって人の有無を検出し、その検出センサ３９が人を検出するとモータ２１を作動させるようにしたが、モータ２１に作動信号を出力する手段はこれに限定されず、例えば、タッチプレート３８に触れることによってモータ２１を作動させるようにしてもよく、あるいは出入口６の床面にフットスイッチを設け、そのフットスイッチが踏まれて作動したときにモータ２１を作動させるようにしてもよい。
【００２９】
実施の形態で示す自動引き戸は上記構造から成り、いま、検出センサ３９が人のいることを検出すると、モータ２１が作動して駆動プーリ２２が回転し、タイミングベルト３７の移動により戸体１４が戸袋８内に向けて移動して出入口６が開放される。
【００３０】
出入口６を通過し、一定時間が経過すると、モータ２１が逆転し、戸体１４は出入口６に向け移動して、その出入口６を閉じる。
【００３１】
上記のような自動引き戸のメンテナンスに際しては、点検カバー９の開放によってレール収納空間１１を開口し、その開口部から作業を行なう。このとき、コントロールボックス２６およびプーリ台２５はビス３５の締付けによって取付けられているため、ビス３５を弛めることにより簡単に取り外すことができる。
【００３２】
また、モータ２１および駆動プーリ２２を支持する支持ベース２３は出入口６の上方に臨む一端部がビス２８の締付けによって固定されているだけであるため、そのビス２８を弛めることにより、支持ベース２３をガイド溝１９に沿って出入口６側に移動させることができ、その出入口６と対応位置において取り外しを行なうことができる。
【００３３】
したがって、メンテナンスや破損した部品の交換を簡単に行なうことができる。
【００３４】
【発明の効果】
以上のように、この発明においては、点検カバーを開放することにより、その開口部に支持ベース、コントロールボックスおよびプーリ台を固定するビスが臨むため、これらのビスを簡単に回動することができる。このため、支持ベース等の各種の部品を上記開口部から簡単に着脱することができ、戸体を移動させる駆動装置のメンテナンスおよび破損した部品の取り替えを容易に行なうことができる。
【００３５】
また、レール部材における取付ベースにガイド溝を設け、そのガイド溝に沿って支持ベースを移動自在に支持し、その支持ベースの出入口上に臨む一端部をビスの締付けによって固定することにより、前記ビスを弛めることによって支持ベースを出入口上に引き出せるので、支持ベースをより簡単に着脱することができる。
【図面の簡単な説明】
【図１】この発明に係る自動引き戸の正面図
【図２】図１のII−IIに沿った断面図
【図３】図１に示す自動引き戸の戸先側の一部分を拡大して示す一部切欠正面図
【図４】図３のIV−IV線に沿った断面図
【図５】図１に示す自動引き戸の戸尻り側の一部分を拡大して示す一部切欠正面図
【図６】図５の横断平面図
【図７】図１のVII −VII 線に沿った断面図
【符号の説明】
６  出入口
８  戸袋
９  点検カバー
１１  レール収納空間
１２  レール部材
１２ａ  取付ベース
１２ｃ  軌道
１４  戸体
１６  吊車
１９  ガイド溝
２１  モータ
２２  駆動プーリ
２３  支持ベース
２４  従動プーリ
２５  プーリ台
２６  コントロールボックス
２８、３２、３５  ビス
３７  タイミングベルト
【図１】
0004355435.tif 000002
【図２】
0004355435.tif 000003
【図３】
0004355435.tif 000004
【図４】
0004355435.tif 000005
【図５】
0004355435.tif 000006
【図６】
0004355435.tif 000007
【図７】
0004355435.tif 000008